(57)【要約】【課題】カード片が出し入れし易いものであって、カード片を折曲することなく正確に出し入れできるカードケースを提供する。【解決手段】カード片を取り出すための開閉部２を開閉可能に形成したケース本体３は、容器体６と、この容器体６に取り付けた蓋体９とを有する。ケース本体３の内部に複数のカード片を積層して収容可能なカード収容体４を設ける。このカード収容体４は、収容したカード片の容器体６側に位置する底板部１４を有する。この底板部１４にカード片が積層した状態を保持する保持部１５を設ける。また、底板部１４から容器体６側へ突出する押上げ片１６を容器体６の内面に固着する。カード収容体４は、開閉部２が開口した際には、底板部１４の開閉部２側が上方に位置するように容器体６に対して傾斜した傾斜状態となる。【選択図】図１
2010148641.tif 000002
【特許請求の範囲】
【請求項１】
容器体と、この容器体に取り付けられた蓋体とを有し、カード片を取り出すための開閉部が開閉可能に形成されたケース本体を備え、前記カード片を取り出し可能に収容するカードケースであって、
前記ケース本体は、内部に複数の前記カード片を積層して収容可能なカード収容体が設けられ、
このカード収容体は、前記カード片が積層される底板部と、この底板部に設けられ前記カード片が積層した状態を保持する保持部と、前記底板部から前記容器体側へ突出してこの容器体の内面に固着された押上げ片とを有し、前記開閉部が開口された際には、前記底板部の前記開閉部側が上方に位置するように前記底板部が前記容器体に対して傾斜した傾斜状態である
ことを特徴とするカードケース。
【請求項２】
カード収容体は、
底板部と保持部と押上げ片とが可撓性を有する材料にて一体に形成され、
前記底板部が容器体に略平行な倒伏状態と、傾斜状態との間で変形可能である
ことを特徴とする請求項１記載のカードケース。
【請求項３】
カード収容体は、底板部の端部から蓋体側へ突出する付加側壁が設けられ、
この付加側壁の先端部とこの付加側壁の底板部に接する基端部との間の距離は、保持部の上端と底板部との間の距離より大きくなるように形成されている
ことを特徴とする請求項１および２記載のカードケース。
【発明の詳細な説明】
【技術分野】
【０００１】
本発明は、例えば名刺等のカード片を取り出し可能に収容するカードケースに関する。
【背景技術】
【０００２】
従来、名刺等のカード片を収容するカードケースとしては、カードケースの内面の底部に、カード片を上方へ押圧するばね体と、積層した状態で収容されたカード片の最上位置カードのみを係止する爪部を有し、カードケースの取り出し方向に沿って摺動可能な送り出し体とを備え、この送り出し体を摺動させることによって、収容されたカード片を容易に一枚ずつ取り出し可能にしたものが知られている（例えば、特許文献１参照。）。
【０００３】
しかしながら、このような構成のカードケースでは、想定されたカード片の厚さと略同一のカード片にしか対応できない。また、一度の送り出し体の摺動により取り出し口からカード片が一枚ずつ出てくるので、複数枚のカード片を同時に取り出したい場合であっても、一枚ずつ取り出す必要があり、かえって取り出し作業が煩雑になる。
【０００４】
そこで、異なる厚さのカード片であっても収容でき、枚数に関係なくカード片が取り出し易いカードケースとしては、ケース内部の一方側を傾斜状にカットし、底部にバネを取り付けたもので、ケースの蓋体を開口すると同時に、前記バネによりカード配設面の一部が上昇することにより、収容されたカード片の取出側が上がるように傾斜するカードケースが知られている（例えば、特許文献２参照。）。
【特許文献１】実開昭６２−６３０２０号公報（第１−２頁、第２図，第４図）
【特許文献２】実開昭５９−１３４４１９号公報（第１頁、第１図，第２図）
【発明の開示】
【発明が解決しようとする課題】
【０００５】
しかしながら、上述した特許文献２のカードケースの構成では、蓋体の開閉に伴って作用するバネにより、カード片が配設される配設面の取り出し側の一部のみが傾斜するので、カード片を出し入れする際に、このカード片が、傾斜する配設面の境界部分にて折曲してしまう可能性があり、カード片を正確に出し入れできないおそれがある。
【０００６】
本発明はこのような点に鑑みなされたもので、カード片が出し入れし易いものであって、カード片を折曲することなく正確に出し入れできるカードケースを提供する。
【課題を解決するための手段】
【０００７】
本発明は、容器体と、この容器体に取り付けられた蓋体とを有し、カード片を取り出すための開閉部が開閉可能に形成されたケース本体を備え、前記カード片を取り出し可能に収容するカードケースであって、前記ケース本体は、内部に複数の前記カード片を積層して収容可能なカード収容体が設けられ、このカード収容体は、前記カード片が積層される底板部と、この底板部に設けられ前記カード片が積層した状態を保持する保持部と、前記底板部から前記容器体側へ突出してこの容器体の内面に固着された押上げ片とを有し、前記開閉部が開口された際には、前記底板部の前記開閉部側が上方に位置するように前記底板部が前記容器体に対して傾斜した傾斜状態であるものである。
【発明の効果】
【０００８】
本発明によれば、開閉部が開口された際に、カード収容体が傾斜状態であるので、カード片を出し入れし易い。
【０００９】
また、前記カード収容体の傾斜状態では、前記底板部の全体が傾斜しているので、カード片を折曲することなく正確に出し入れできる。
【発明を実施するための最良の形態】
【００１０】
以下、本発明の一実施の形態の構成について図１ないし図４を参照しながら詳細に説明する。
【００１１】
図１に示すように、カードケース１は、二点鎖線で示す例えば名刺等の複数の積層されたカード片を取り出し可能に収容するものである。
【００１２】
カードケース１は、カード片を取り出すための開閉部２が開閉可能に形成された略矩形箱状のケース本体３を備えている。
【００１３】
また、ケース本体３の内部には、複数のカード片を積層した状態で収容可能なカード収容体４が設けられている。
【００１４】
ケース本体３は、例えば金属や合成樹脂等にて形成されており、１つの底板５ａおよび４つの側板５ｂ，５ｃ，５ｄ，５ｅを有し、一方の方向に向かって開口した略矩形箱状の容器体６と、１つの上板８ａおよび４つの側板８ｂ，８ｃ，８ｄ，８ｅを有し、容器体６の開口部分を開閉するための蓋体９とからなる。この容器体６の幅方向の一端部である側板５ｄには枢着部７が設けられ、蓋体９の幅方向の一端部である側板８ｄが枢着部７に枢着され、枢着部７を基点に蓋体９が容器体６に対して回動可能に形成されている。さらに、容器体６の側板５ｂと、蓋体９の側板８ｂとによって開閉部２が構成され、ケース本体３は、蓋体９が回動することにより、図２に示す容器体６の側板５ｂと蓋体９の側板８ｂとが離間して開閉部２が開口した開口状態と、図３に示す容器体６の側板５ｂの一部と蓋体９の側板８ｂの一部とが接触して開閉部２が閉塞した閉塞状態とに変化可能である。
【００１５】
容器体６の側板５ｂには、係合溝１１および図示しないバネ部材を有し、このバネ部材の付勢力に抗して容器体６の側板５ｂに対して移動可能なプッシュピース１２が設けられている。また、蓋体９の側板８ｂには、プッシュピース１２の係合溝１１に係合可能な係合フック１３が設けられている。ケース本体３は、閉塞状態において、プッシュピース１２の係合溝１３と係合フック１３とが係合することにより閉塞状態が保持される。また、プッシュピース１２は、バネ部材の付勢に抗して容器体６の内側へ向かって押し込むことにより、係合溝１１と係合フック１３との係合が解除され、蓋体９が回動可能、すなわち、開閉部２が開口可能な状態となる。
【００１６】
枢着部７には、蓋体９の側板８ｂを容器体６の側板５ｂから離間させる方向に蓋体９を容器体６に対して回動するように付勢する図示しないバネ部材が設けられている。
【００１７】
カード収容体４は、カード片が積層される底板部１４と、このカード片を底板部１４に積層した状態で保持する保持部１５と、容器体６の内面である底板５ａの内面に固着された押上げ片１６とが一体に形成されている。
【００１８】
底板部１４は、容器体６の底板５ａの内面より小さい略矩形状であり、収容したカード片の容器体６側に位置し、複数のカード片が積層される。
【００１９】
保持部１５は、底板部１４における枢着部７側の一部を覆うように形成され、底板部１４における幅方向の容器体６の枢着部７側の端部に一体に接続された保持背板１７と、底板部１４における長手方向の一対の端部にそれぞれ一体に接続されて対向する保持側板１８と、これら保持背板１７と保持側板１８とに一体に接続し、底板部１４に対向する保持上板１９とで構成されている。そして、底板部１４と保持部１５とにより開口部２０を有する箱状に構成されている。また、底板部１４における幅方向の開閉部２側であって、保持部１５が配置されていない箇所はカード片取出部２５を形成する。
【００２０】
押上げ片１６は、底板部１４から容器体６側へ突出して形成されている。具体的には、図４に示すように、押上げ片１６は、保持背板１７および底板部１４に形成された切込２２にて囲まれた部分である底板部１４の一部が底板部１４から容器体６側へ突出するように折曲されて形成されている。
【００２１】
また、底板部１４には、長手方向の端部から蓋体９側へ突出する略矩形状の付加壁部２３が一体に形成されている。この付加壁部２３の先端部２３ａと付加壁部２３の底板部１４に接する基端部２３ｂとの間の距離は、保持部１５の上端である保持上板１９と底板部１４との間の距離より大きくなるように形成されている。したがって、ケース本体３の閉塞状態の際には、付加壁部２３の先端部２３ａが保持部１５の上端である保持上板１９より蓋体９側に位置し、付加壁部２３の先端部２３ａが蓋体９の内面、すなわち、上板８ａの内面に接触する。
【００２２】
さらに、底板部１４における幅方向の開閉部２側の端部には、略円弧状に切り欠かれた切欠部２４が形成されている。
【００２３】
ここで、カード収容体４は、例えば金属や合成樹脂等の可撓性を有する材料にて形成され、作用する外力に応じて、底板部１４における幅方向の開閉部２側であるカード片取出部２５側が、保持部１５側より相対的に上方に位置するように容器体６に対して傾斜した傾斜状態と、底板部１４が容器体６の底板５ａに略平行な倒伏状態との間で変化可能である。
【００２４】
したがって、カード収容体４は、外力が作用しないケース本体３が開口状態の際には傾斜状態となり、外力が作用するケース本体３が閉塞状態の際には塑性変形して倒伏状態となる。
【００２５】
なお、カード収容体４が傾斜状態の際には、底板部１４における幅方向の開閉部２側の端部が、容器体６の側板５ｂの上端より上方に位置する。
【００２６】
次に、上記一実施の形態の作用を説明する。
【００２７】
カードケース１にカード片を収容する際には、まず、プッシュピース１２を容器体６の内側へ押し込み、係合溝１１と係合フック１３との係合を解除し、ケース本体３の閉塞状態の保持を解除する。
【００２８】
また、係合溝１１と係合フック１３との係合を解除することにより、枢着部７のバネ部材の付勢力により、蓋体９が容器体６に対して回動し、ケース本体３は、図１および図２に示すような開閉部２が開口した開口状態になる。
【００２９】
ケース本体３が開口状態になると、カード収容体４が傾斜状態となり、底板部１４に沿って開口部２０から保持背板１７へ向かってカード片の一部を挿入し、底板部１４にカード片を積層してカード収容体４にカード片を収容する。
【００３０】
カード片を収容した後、ケース本体３が閉塞状態となるように蓋体９を容器体６に対して回動させる。このように蓋体９を回動させることにより、付加壁部２３の先端部が蓋体９の内面、すなわち、上板８ａの内面に接触する。
【００３１】
付加壁部２３の先端部が蓋体９の上板８ａの内面に接触した状態にて、そのままケース本体３を閉塞するように蓋体９を容器体６に対して回動させることにより、カード収容体４は、底板部１４が容器体６の底板５ａ側へ押し込まれ、カード収容体４の一部が撓んで傾斜状態から倒伏状態へ変化し、ケース本体３を、図３に示すような開閉部２が閉塞された閉塞状態にする。
【００３２】
ケース本体３の閉塞にともなって、係合フック１３がプッシュピース１２の係合溝１１に挿入されて係合し、ケース本体３の閉塞状態を保持する。
【００３３】
カードケース１に収容されたカード片を取り出す際には、プッシュピース１２を容器体６の内側へ押し込み、係合溝１１と係合フック１３との係合を解除し、ケース本体３を開口状態にする。
【００３４】
ここで、ケース本体３の閉塞状態では、図３に示すように、カード収容体４は、付加壁部２３の先端部２３ａが蓋体９の上板８ａの内面に接触して底板部１４が押し込まれた倒伏状態になっているが、ケース本体３の閉塞状態から開口状態への切り替えにともなって、カード収容体４は、付加壁部２３の先端部が蓋体９の上板８ａの内面に接触して倒伏状態に押し込まれた状態が解除され、可撓性を有するカード収容体４の復原力によりカード収容体４が倒伏状態から傾斜状体へ変化する。
【００３５】
傾斜状態のカード収容体４からカード片を引き抜き、ケース本体３からカードを取り出す。
【００３６】
そして、上述したカードケース１では、開閉部２を開口し、ケース本体３を開口状態にしてカード片を出し入れする際に、カード収容体４が傾斜状態であるので、カード片を出し入れし易い。特に、カード片を取り出す際には、一枚のカード片であっても、複数枚のカード片であっても、底板部１４に沿ってカード片を引き抜くだけで容易に取り出せる。さらに、底板部１４における幅方向の開閉部２側の端部が、傾斜状態にて、容器体６の側板５ｂより上方に位置していることにより、カード片を引き抜く際に容器体６の側板５ｂが障害とならないので、引き抜き易い。
【００３７】
また、カード収容体４が傾斜状態の際には、保持部１５が、カード収容体４において最も下方に位置するため、重力によりカード片が保持部１５側へ向かうので、カード片が確実に保持部１５に保持される。
【００３８】
さらに、カード収容体４の傾斜状態では、底板部１４の全体が傾斜して平面を維持しているので、例えば、カード片の配設面の一部のみ傾斜した従来の構成等のように傾斜の境界部が存在せず、底板部１４に沿ってカード片を出し入れすることにより、カード片を折曲することなく正確に出し入れできる。
【００３９】
カード収容体４は、可撓性を有する材料にて形成されていることにより、カード収容体４の一部を撓ませて傾斜状態と倒伏状態とを切り換えることができ、ケース本体３が閉塞状態の際にカード収容体４が倒伏状態となることで、カード片の収容空間をできるだけ大きく確保できる。
【００４０】
底板部１４は、付加壁部２３が設けられ、この付加壁部２３の先端部２３ａと付加壁部２３の底板部１４に接する基端部２３ｂとの間の距離は、保持部１５の上端である保持上板１９と底板部１４との間の距離より大きくなるように形成されることにより、ケース本体３を閉塞状態にすることに伴って、カード収容体４を倒伏状態にする際に、付加壁部２３の先端部２３ａのみが蓋体９の上板８ａの内面に接触し、収容されたカード片が上板８ａの内面、すなわち、蓋体９の内面に接触しないので、蓋体９との接触によるカード片の汚損を防止できる。
【００４１】
カード収容体４は、底板部１４と保持部１５と押上げ片１６と付加壁部２３とを一体に形成して成形されるので、部品点数を少なくでき、さらに各部品を接合する工程を必要としないため、製造を安価かつ容易にできる。
【００４２】
ケース本体３は、蓋体９が容器体６に枢着された構成とすることにより、開口状態における開閉部２の開口面積を大きく確保できるので、カード片を容易に出し入れできる。
【００４３】
また、容器体６の側板５ｂにプッシュピース１２を設け、蓋体９の側板８ｂに係合フック１３を設けることにより、ケース本体３の閉塞状態を保持できるとともに、閉塞状態を保持した状態と、保持を解除した状態とを容易に切り替えることができる。
【００４４】
さらに、枢着部７にバネ部材を設けることにより、閉塞状態の保持が解除されるのと同時に、バネ部材の付勢力にて蓋体９が回動してケース本体３が開口状態にできるので、ケース本体３を容易に開口状態にできる。
【００４５】
なお、上記一実施の形態では、ケース本体３は、容器体６と蓋体９とが枢着され、蓋体９を容器体６に対して回動することにより開閉部２が開閉する構成としたが、このような構成には限定されず、開閉部２が開閉可能な構成であれば、例えば、容器体６と蓋体９とをスライドさせて開閉部２を開閉する構成等でもよい。
【００４６】
また、ケース本体３は、容器体６にプッシュピース１２が設けられ、蓋体９に係合フック１３が設けられた構成にすることにより、閉塞状態を容易に保持でき、また、その保持を容易に解除できるので好ましいが、このような構成には限定されない。例えば、プッシュピース１２と係合フック１３とは別の保持手段を設ける構成や保持手段を設けない構成等でもよい。
【００４７】
ケース本体３は、容器体６の枢着部７に開閉部２を開口する方向に蓋体９を付勢するバネ部材が設けられた構成とすることにより、開閉部２を容易に開口できるので好ましいが、このような構成に限定されず、枢着部７にバネ部材を設けない構成でもよい。
【００４８】
カード収容体４は、傾斜状体と倒伏状態との間で変化可能な構成とすることにより、ケース本体３が閉塞状態の際の収容空間を大きく確保できるので好ましいが、このような構成には限定されず、ケース本体３の開口状態の際にカード収容体４が傾斜状態であればよい。
【００４９】
カード収容体４を傾斜状態と倒伏状態との間で変化可能な構成にする場合は、カード収容体４の底板部１４に付加壁部２３を設けることにより、この付加壁部２３が蓋体９の上板８ａの内面に接触し、カード収容体４の倒伏状態にて収容されたカード片が上板８ａの内面、すなわち、蓋体９の内面に接触して汚損することを防止できるので好ましいが、このような構成には限定されず、付加壁部２３を設けない構成にしてもよい。
【００５０】
付加壁部２３を設ける構成とする場合は、付加壁部２３が略矩形状の形状には限定されず、付加壁部２３の先端部２３ａと付加壁部２３の底板部１４に接する基端部との間の距離が、保持部１５の上端である保持上板１９と底板部１４との間の距離より大きくなるように形成されていれば、例えば円形状や三角形状でもよい。
【００５１】
カード収容体４は、底板部１４と保持部１５と押上げ片１６と付加壁部２３とが一体に形成された構成には限定されず、それぞれ別個の部材として接合する構成でもよい。
【００５２】
保持部１５は、底板部１４の枢着部７側の一部を覆うように形成された構成には限定されず、底板部１４の略全体を覆うような構成等にしてもよい。
【００５３】
また、底板部１４の一部および保持部１５にて開口部２０を有する箱状をなす構成には限定されず、カード片の積層状態を保持できればよい。保持部１５としては、例えば、保持背板１７のみ、保持側板１８のみ、保持背板１７と保持側板１８のみ等の構成でもよい。
【００５４】
押上げ片１６は、底板部１４の一部と保持背板１７の一部とで形成される構成には限定されず、底板部１４から容器体６側へ突出していればよい。
【図面の簡単な説明】
【００５５】
【図１】本発明のカードケースにおける一実施の形態を示す斜視図である。
【図２】同上カードケースにおける開口状態を示す部分断面図である。
【図３】同上カードケースにおける閉塞状態を示す断面図である。
【図４】同上カードケースにおけるカード収容体を示す斜視図である。
【符号の説明】
【００５６】
１    カードケース
２    開閉部
３    ケース本体
４    カード収容体
６    容器体
９    蓋体
１４  底板部
１５  保持部
１６  押上げ片
２３  付加壁部
２３ａ先端部
２３ｂ基端部
【図１】
2010148641.tif 000003
【図２】
2010148641.tif 000004
【図３】
2010148641.tif 000005
【図４】
2010148641.tif 000006